(57)【要約】【課題】  無彩色の階調表現能力の低下や、明るい周囲光下における表示明度の低下を生じることなく、様々な周囲光が存在する環境下での色再現性を改善し、視認性を向上する画像表示装置を提供する。【解決手段】  カラー画像を表す第１の色データ（ＣＲ１，ＣＢ１）の彩度を調整して、第１の色データに対応する第２の色データ（ＣＲ２，ＣＢ２）を出力する彩度調整手段（３）と、第２の色データに基づいて画像を表示する画像表示手段（５）と、画像表示手段の周囲光の明るさを検出し、検出結果を表す周囲光データ（Ｓ）を出力する周囲光検出手段（１）を備え、彩度調整手段（３）は、周囲光データに基づいて第１の色データの彩度を調整する。【選択図】        図１
2006243454.tif 000002
【特許請求の範囲】
【請求項１】
カラー画像を表す第１の色データの彩度を調整して、上記第１の色データに対応する第２の色データを出力する彩度調整手段と、
上記第２の色データに基づいて画像を表示する画像表示手段と、
上記画像表示手段の周囲光の明るさを検出し、検出結果を表す周囲光データを出力する周囲光検出手段を備え、
上記彩度調整手段は、上記周囲光データに基づいて上記第１の色データの彩度を調整することを特徴とする画像表示装置。
【請求項２】
上記彩度調整手段は、上記周囲光が明るくなるに従って上記第２の色データの彩度をより高いものにすることを特徴とする請求項１に記載の画像表示装置。
【請求項３】
上記周囲光検出手段は、上記画像表示手段の周囲光の色も検出することを特徴とする請求項１又は２に記載の画像表示装置。
【請求項４】
上記周囲光データは、上記画像表示手段の周囲光の色成分の大きさを表すデータとして生成されることを特徴とする請求項３に記載の画像表示装置。
【請求項５】
上記彩度調整手段は、上記第１の色データの彩度に加え、色相も調整することが可能な色変換手段であり、上記周囲光データに基づいて色変換を行うことを特徴とする請求項４に記載の画像表示装置。
【請求項６】
上記色変換手段は、上記第１の色データにより表される各画素における色の属する色相において補色となる色成分を上記周囲光データの値に基づいて減じる色変換を行うことを特徴とする請求項５に記載の画像表示装置。
【請求項７】
上記色変換手段は、赤、イエロー、緑、シアン、青、マゼンタの６つの色相における第１の色データの彩度を個別に調整することを特徴とする請求項５又は６に記載の画像表示装置。
【請求項８】
上記色変換手段は、上記周囲光の色の色相から遠い色相の色ほど大きく彩度調整を行うことを特徴とする請求項５乃至７のいずれか１項に記載の画像表示装置。
【発明の詳細な説明】
【技術分野】
【０００１】
この発明は、モニタやプロジェクタ等のカラー画像を表示する画像表示装置に関し、特に様々な異なる周囲光が存在する環境下で使用される画像表示装置に関する。
【背景技術】
【０００２】
下記の特許文献１には、外光明るさ指定バーを操作して得られる、画像表示手段の表面において反射される外光の明るさに基づき、画像表示手段における黒表示時の輝度、色度及び三刺激値のうち少なくとも一つに関与するデータである黒近似データを算出し、前記黒近似データに基づく黒補正処理を画像データに対して画素毎に行う画像表示装置が記載されている。この画像表示装置によれば、明るい周囲光が存在する環境下において、鑑賞者にとってコントラストの大きい、視認性の良い画像を提供することが可能となる。
【０００３】
【特許文献１】特開２００２−２４４６３７
【発明の開示】
【発明が解決しようとする課題】
【０００４】
上記の画像表示装置においては、一般的に明るい周囲光下における視認性が向上する一方、無彩色の階調表現能力の低下（表示される階調数の減少）の懸念がある。画像表示装置において、無彩色表示は同じ階調の単色表示と比較して輝度が高く、低階調部における階調の差異も知覚されやすい。よって、無彩色の階調表現能力が画質に与える影響は大きい。また、上記の画像表示装置においては、明るい周囲光下における表示明度の低下の懸念がある。一般に周囲光が明るいほど、高い明度での表示が好まれる傾向がある。
【０００５】
本発明は、上記の問題に鑑みてなされたものであり、無彩色の階調表現能力の低下や、明るい周囲光下における表示明度の低下を生じることなく、様々な周囲光が存在する環境下での色再現性を改善し、視認性を向上する画像表示装置を提供することを目的とする。
【課題を解決するための手段】
【０００６】
本発明は、
カラー画像を表す第１の色データの彩度を調整して、上記第１の色データに対応する第２の色データを出力する彩度調整手段と、
上記第２の色データに基づいて画像を表示する画像表示手段と、
上記画像表示手段の周囲光の明るさを検出し、検出結果を表す周囲光データを出力する周囲光検出手段を備え、
上記彩度調整手段は、上記周囲光データに基づいて上記第１の色データの彩度を調整することを特徴とする画像表示装置を提供する。
【発明の効果】
【０００７】
本発明によれば、無彩色の階調表現能力の低下や、明るい周囲光下における表示明度の低下を生じることなく、様々な周囲光が存在する環境下での色再現性を改善し、視認性を向上することができる。
【発明を実施するための最良の形態】
【０００８】
実施の形態１．
図１は、本発明に係る画像表示装置の一実施形態を示すブロック図である。図１に示す画像処理装置は、周囲光検出手段１、係数算出手段２、彩度調整手段３、データ変換手段４、画像表示手段５から構成される。
周囲光検出手段１は照度センサなどにより構成され、画像表示手段５の周囲を照明する周囲光の明るさを検出し、検出結果を表す周囲光データＳを出力する。図２は、周囲光の明るさと周囲光データＳの値との関係の一例を表す図である。図において、横軸は周囲光の明るさ、縦軸は周囲光データＳの値を表す。図２の例において、周囲光データＳの値は周囲光の明るさに比例して大きくなる。
【０００９】
周囲光データＳは、係数算出手段２に入力される。係数算出手段２では、周囲光データＳの値から色データの彩度調整を行うための彩度調整係数ｋｃを求めて出力する。ここで、彩度調整係数ｋｃは０以上の値とする。図３（ａ）〜（ｃ）は、周囲光データＳの値と彩度調整係数ｋｃの関係の例を表す図である。図３（ａ）の例では、周囲光データＳ＝０の場合に彩度調整係数ｋｃ＝１となり、周囲光データＳの値が大きくなるにしたがって、一次関数的に彩度調整係数ｋｃの値が大きくなる場合を示している。なお、彩度調整係数ｋｃ＝１は、色データの彩度は維持されることを示す。すなわち、周囲光が暗い場合には、色データの彩度は維持されることとなる。
【００１０】
図３（ｂ）の例では、周囲光データＳが所定の値以下の場合には彩度調整係数ｋｃ＝１となり、その後、周囲光データＳの値が大きくなるにしたがって、一次関数的に彩度調整係数ｋｃの値が大きくなる場合を示している。また、図３（ｃ）の例では、周囲光データＳ＝０の場合には彩度調整係数ｋｃ＝１となり、その後、周囲光データＳの値が大きくなるにしたがって、高次関数的に彩度調整係数ｋｃの値が大きくなる場合を示している。
【００１１】
彩度調整手段３には、第１の色データのうち色差を表すデータＣＲ１、ＣＢ１とともに、彩度調整係数ｋｃが入力される。ここで、第１の色データＹ、ＣＲ１、ＣＢ１は、輝度および色差を表す色データである。彩度調整手段３は、第１の色データＣＲ１、ＣＢ１に、彩度調整係数ｋｃを乗じることにより、色差を表す第２の色データＣＲ２、ＣＢ２を算出する。すなわち、第２の色データＹ、ＣＲ２、ＣＢ２は下記の式（１）により求められる。
【００１２】
【数１】
2006243454.tif 000003
【００１３】
彩度調整係数ｋｃ＝１の場合には、ＣＲ２＝ＣＲ１、ＣＢ２＝ＣＢ１となる。すなわち、第１の色データと第２の色データは同一の値となり、前記のように色データの彩度は維持されることになる。また、彩度調整係数ｋｃの値が大きくなると、色差を表す色データの絶対値が大きくなり、第２の色データの彩度は、第１の色データの彩度と比較して向上することになる。
【００１４】
第２の色データＹ、ＣＲ２、ＣＢ２は、データ変換手段４へと入力される。データ変換手段４では、第２の色データＹ、ＣＲ２、ＣＢ２を別の形式の色データＲ、Ｇ、Ｂへと変換する。第２の色データＹ、ＣＲ２、ＣＢ２は色を輝度および色差にて表す形式のデータであり、一方、色データＲ、Ｇ、Ｂはそれぞれ赤、緑、青の色成分の大きさにより色を表す形式の色データである。データ変換手段４にて行われる変換は、例えば下記の式（２）にて表される所定のマトリクス演算により行われる。
【００１５】
【数２】
2006243454.tif 000004
【００１６】
なお、上記式（２）において、Ａｉｊは入力される第１の色データの従う色空間、または画像表示手段４の特性を考慮して決定されるｉ行ｊ列のマトリクス係数行列であり、ｉ＝３、ｊ＝３である。変換された色データＲ、Ｇ、Ｂは、画像表示手段５へと入力される。画像表示手段５は、例えば液晶デバイス等により構成され、入力された色データＲ、Ｇ、Ｂに基づいて画面上にカラー画像を形成する。本実施の形態の画像表示装置は以上のように動作する。以下、その効果について述べる。
【００１７】
本発明における画像表示装置は、検出された周囲光の明るさに応じて色データの彩度を調整するものである。画像表示装置の周囲光は、多くの場合において白色光である。この周囲光は、画像表示装置の画面上にて反射して間接的に、もしくは直接に鑑賞者の目へと照射される。この結果、鑑賞者は、画面上に表示された色と同時に、直接的または間接的に周囲光も知覚することになる。ここで、直接的または間接的に知覚される周囲光を知覚周囲光と呼び、（周囲光の影響を除き）画面上に表示された色を表示色と呼び、鑑賞者が知覚する色を知覚色と呼ぶこととすると、知覚色は、表示色と知覚周囲光が混合された色となる。知覚周囲光が多くの場合において白色光であることから、知覚色は表示色に無彩色が混合された色となり、表示色に比べて彩度が低下した色となる。また、周囲光が明るくなるにしたがって、知覚周囲光も明るくなり、表示色に対する知覚色の彩度低下も大きくなる。
【００１８】
本発明における画像表示装置は、上記のような周囲光の影響による知覚色の彩度低下を補正することにより、周囲光が存在する環境下での色再現性を改善し、視認性を向上させるものである。検出された周囲光の明るさに応じて色データの彩度を調整し、彩度調整された色データに基づいて画像表示することで、検出された周囲光の明るさに応じた表示色の彩度調整を行う。この表示色の彩度調整は、知覚色に対する表示色の彩度低下を考慮して行われる。
【００１９】
また、本実施の形態の画像表示装置において、検出された周囲光に基づく処理は、輝度および色差を表す色データのうち色差を表すデータに対する乗算処理となる。第１の色データが無彩色を表す場合、色差を表す色データは０となる。よって、無彩色に対しては、第１の色データと第２の色データは、検出された周囲光に関わらず等しくなる。このことから、本実施の形態の画像表示装置において、無彩色に対する階調表現能力の低下は発生しない。さらに、第１の色データが無彩色、有彩色のいずれであるかに関わらず、輝度を表すデータに対しての演算処理は行わないので、表示明度の低下は発生しないこととなる。
【００２０】
なお、色データの彩度を増加させる処理を行った場合、画像表示手段の有する色再現範囲の制約から表示画像に色つぶれ（色の飽和）が発生する場合も考えられる。しかしながら、近年、バックライト光源やカラーフィルタに工夫を凝らした液晶モジュールや、レーザ光源を用いたプロジェクタなど、従来の画像表示装置より飛躍的に色再現範囲を拡大した表示装置の開発、実用化が進みつつある。これら広色域の画像表示装置においては、より色再現範囲の狭い色空間で規定された色データが入力される場合、周囲光の存在しない環境下では彩度を低下させた上で画像表示することとなる。このような場合、検出された周囲光に基づいて彩度調整を行っても、色つぶれのない画像表示が可能となる。
【００２１】
以上のように、本発明に係る画像表示装置によれば、無彩色の階調表現能力の低下や、明るい周囲光下における表示明度の低下を生じることなく、様々な周囲光が存在する環境下での色再現性を改善し、視認性を向上することができる。
【００２２】
実施の形態２．
図４は、本実施の形態に係る画像表示装置の他の実施形態を示すブロック図である。図４に示す画像処理装置は、周囲光検出手段１ｂ、係数算出手段２ｂ、色変換手段６、データ変換手段４ｂ、画像表示手段５から構成される。周囲光検出手段１ｂは、画像表示手段５の周囲を照明する周囲光の明るさに加え、色も検出する。具体的には、例えば周囲光検出手段１ｂは赤、緑、青の３色のカラーセンサなどにより構成され、周囲光における赤、緑、青の色成分の大きさを検出し、検出結果を表す周囲光データＳｒ、Ｓｇ、Ｓｂを出力する。ここで、周囲光データＳｒは検出された周囲光の赤成分の大きさを表すデータ、Ｓｇは緑成分の大きさを表すデータ、Ｓｂは青成分の大きさを表すデータである。係数算出手段２ｂは、周囲光データＳｒ、Ｓｇ、Ｓｂの値に基づいて、色変換手段６にて使用される色変換係数Ｆｉｊの値を決定する。
【００２３】
本実施の形態の画像表示装置において、第１の色データは、それぞれ赤、緑、青の色成分の大きさを表す形式の色データＲ１、Ｇ１、Ｂ１として入力される。色変換手段６では、係数算出手段２ｂからの色変換係数Ｆｉｊ（ｉ行ｊ列の係数行列）を用い、入力される第１の色データＲ１、Ｇ１、Ｂ１に対して色変換処理を行って第２の色データＲ２、Ｇ２、Ｂ２を求める。色変換手段６にて行われる色変換処理は、例えば例えば下記の式（３）にて表されるマトリクス演算により行われる。
【００２４】
【数３】
2006243454.tif 000005
【００２５】
上記の式（３）において、αは第１の色データＲ１、Ｇ１、Ｂ１の最小値であり、第１の色データに含まれる無彩色の成分を表す。また、色変換手段６にて行われる色変換処理が上記の式（３）にて表される場合、色変換係数Ｆｉｊはｉ＝３、ｊ＝３のマトリクス係数行列となる。上記式（３）で表されるマトリクス演算は、第１の色データが無彩色を表すデータである場合には影響を及ぼさない。第１の色データが無彩色を表すデータである場合には、Ｒ１＝Ｇ１＝Ｂ１＝αとなり、色変換係数Ｆｉｊの値に関わらず第２の色データＲ２、Ｇ２、Ｂ２と第１の色データＲ１、Ｇ１、Ｂ１の値は同一となる。したがって、上記式（３）の演算による無彩色の階調表現能力の低下は発生しない。
【００２６】
第２の色データＲ２、Ｇ２、Ｂ２は、データ変換手段４ｂへと入力される。データ変換手段４ｂでは、第２の色データＲ２、Ｇ２、Ｂ２を第３の色データＲ３、Ｇ３、Ｂ３へと変換する。データ変換手段４ｂにて行われる変換は、例えば下記の式（４）にて表される所定のマトリクス演算により行われる。
【００２７】
【数４】
2006243454.tif 000006
【００２８】
なお、上記式（４）において、Ｄｉｊは入力される第１の色データの従う色空間、または画像表示手段４の特性を考慮して決定されるｉ行ｊ列のマトリクス係数行列であり、ｉ＝３、ｊ＝３である。変換された第３の色データＲ３、Ｇ３、Ｂ３は、画像表示手段５へと入力され、画面上にカラー画像が形成される。なお、上記式（３）および式（４）のマトリクス演算は、統合して１つのマトリクス演算にすることも可能である。本実施の形態の画像表示装置は以上のように動作する。以下、係数算出手段２ｂにおいて色変換係数Ｆｉｊを決定する動作について更に述べる。
【００２９】
周囲光データＳｒ、Ｓｇ、Ｓｂは、それぞれ周囲光の赤、緑、青成分の大きさを表すデータであり、例えばＳｒの値がＳｇ、Ｓｂと比較して大きい場合、周囲光は赤みの強い光であると考えられる。この場合、知覚色としても赤みが強くなるため、色変換係数Ｆｉｊとしては、赤と比較して緑および青の彩度をより強めるような係数とする。また、周囲光データＳｒ、Ｓｇ、Ｓｂの総和（もしくは重み付け加算した値）が周囲光の明るさを表すと考えられる。したがって、周囲光データＳｒ、Ｓｇ、Ｓｂの総和が大きいほど、より彩度を強めるような係数とする。色変換係数Ｆｉｊは、下記の式（５）のように表すことができる。
【００３０】
【数５】
2006243454.tif 000007
【００３１】
上記式（５）において、ｆ１１、ｆ２１、ｆ３１は第１の色データにおける赤を表現するための第２の色データＲ２、Ｇ２、Ｂ２の大きさをそれぞれ決定するための係数である。また、ｆ１２、ｆ２２、ｆ３２は第１の色データにおける緑を表現するための第２の色データＲ２、Ｇ２、Ｂ２の大きさ、ｆ１３、ｆ２３、ｆ３３は第１の色データにおける青を表現するための第２の色データＲ２、Ｇ２、Ｂ２の大きさをそれぞれ決定するための係数である。よって、例えばｆ１１の値を大きくするか、もしくはｆ２１、ｆ２２の値を小さくすることにより、表示される赤の彩度を強めることができる。一般に、当該色における原色成分に関わる係数の値を大きく、または補色成分（補色成分を構成する色。例えば、当該色が赤の場合、補色はシアンであり、シアンを構成する緑と青が補色成分となる）に関わる係数を小さくすることにより、当該色の彩度を強めることができる。また、係数の変化量が大きいほど、彩度の調整量は大きくなる。
【００３２】
係数算出手段２ｂにおいては、周囲光データＳｒ、Ｓｇ、Ｓｂの値から周囲光の色および明るさを算定し、算定結果に基づいて赤、緑、青の彩度調整量を決定し、色変換係数Ｆｉｊの値を決定する。例えば、周囲光データＳｒの値とｆ１１、ｆ２１、ｆ３１の値を関連付けたテーブル、周囲光データＳｇの値とｆ１２、ｆ２２、ｆ３２の値を関連付けたテーブル、周囲光データＳｂの値とｆ１３、ｆ２３、ｆ３３の値を関連付けたテーブルを予め作成しておき、テーブルを参照して色変換係数Ｆｉｊの値を決定することも考えられる。なお、第２の色データＲ２、Ｇ２、Ｂ２における総和（もしくは重み付け加算した値）が第１の色データＲ１、Ｇ１、Ｂ１におけるもの以上となるように、色変換係数Ｆｉｊの値を決定することにより、表示明度の低下が発生することなく、彩度の調整が可能となる。
【００３３】
ここで、上記の例では、周囲光は赤みの強い光であると判定される場合には、赤と比較して緑および青の彩度をより強めるような色変換係数とすることを述べたが、周囲光が非常に明るい場合には、周囲光の色への順応効果が強くなることが考えられる。この場合には、赤、緑、青の彩度を一様に強める、もしくは緑および青と比較して赤の彩度をより強めるような係数とすることも考えられる。
上記の場合に、赤の彩度を強めるのは、周囲光が非常に明るく、赤みが強い場合には、鑑賞者の目が周囲光に順応し、結果として赤みの強い光を白色と感じるように目の感度調整が行われ、表示色においてむしろ赤みが弱く（もしくは緑、青と同程度に）感じられることがあり、これを補償するためである。
【００３４】
以上のように、本発明に係る画像表示装置によれば、無彩色の階調表現能力の低下や、明るい周囲光下における表示明度の低下を生じることなく、様々な周囲光が存在する環境下での色再現性を改善し、視認性を向上することができる。また、周囲光の色も検出することにより、周囲光の色に応じた色再現性の改善が可能となる。
【００３５】
実施の形態３．
図５は、本発明に係る実施の形態２の画像処理装置における色変換手段６の一例を示すブロック図である。色変換手段６は、αβ算出手段７、有彩色成分データ算出手段８、マトリクス演算項算出手段９、マトリクス演算手段１０を備えており、第１の色データＲ１，Ｇ１，Ｂ１は、αβ算出手段７、有彩色成分データ算出手段８、およびマトリクス演算手段１０に入力される。
【００３６】
αβ算出手段７は、第１の色データＲ１，Ｇ１，Ｂ１の最大値βおよび最小値αを選択して出力する。最大値βおよび最小値αは、有彩色成分データ算出手段８に入力される。最小値αはマトリクス演算手段１０にも入力される。ここで、最小値αは、第１の色データＲ１，Ｇ１，Ｂ１に含まれる無彩色成分（グレイ成分）を表すデータである。
【００３７】
有彩色成分データ算出手段８は、第１の色データＲ１，Ｇ１，Ｂ１、および最大値β、最小値αを用いて６つの有彩色成分データｒ，ｇ，ｂ，ｙ，ｍ，ｃを算出する。有彩色成分データｒ，ｇ，ｂ，ｙ，ｍ，ｃは、第１の色データＲ１，Ｇ１，Ｂ１により表される色から無彩色成分を除いた色（有彩色）の赤、緑、青、イエロー、マゼンタ、シアンの各色成分の大きさを表すデータである。これらの有彩色データは、ｒ＝Ｒｉ−α，ｇ＝Ｇｉ−α，ｂ＝Ｂｉ−α，ｙ＝β−Ｂｉ，ｍ＝β−Ｇｉ，ｃ＝β−Ｒｉの減算処理により求められる。
【００３８】
有彩色成分データ算出手段８により出力された有彩色成分データｒ，ｇ，ｂ，ｙ，ｍ，ｃはマトリクス演算項算出手段９に入力される。
マトリクス演算項算出手段９は、有彩色成分データｒ，ｇ，ｂ，ｙ，ｍ，ｃを用いて、赤、イエロー、緑、シアン、青、マゼンタの６つの各色相成分に有効なマトリクス演算項ｈｒ，ｈｇ，ｈｂ，ｈｃ，ｈｍ、ｈｙを算出する。マトリクス演算項ｈｒ，ｈｇ，ｈｂ，ｈｃ，ｈｍ，ｈｙは、以下の式（６）により算出される。ただし、ｍｉｎ（Ａ，Ｂ）はＡとＢのうち小さい方の値を表す。
【００３９】
【数６】
2006243454.tif 000008
【００４０】
図６（Ａ）〜（Ｆ）は、マトリクス演算項ｈｒ，ｈｙ，ｈｇ，ｈｃ，ｈｂ，ｈｍと、赤、イエロー、緑、シアン、青、マゼンタの６つの色相との関係を模式的に示した図である。図６に示すように、第１のマトリクス演算項ｈｒ，ｈｇ，ｈｂ，ｈｃ，ｈｍ，ｈｙは、それぞれ、赤、緑、青、シアン、マゼンタ、イエローの色相において最大となり、他の色相においては大きさが０となる。すなわち、マトリクス演算項ｈｒ，ｈｇ，ｈｂ，ｈｃ，ｈｍ，ｈｙは、第１の色データＲ１，Ｇ１，Ｂ１により表されるカラー画像における、赤、緑、青、シアン、マゼンタ、イエローの色相成分にのみ有効な演算項といえる。
【００４１】
マトリクス演算項算出手段９により出力されるマトリクス演算項ｈｒ，ｈｙ，ｈｇ，ｈｃ，ｈｂ，ｈｍは、マトリクス演算手段１０に入力される。マトリクス演算手段１０には、色変換係数であるマトリクス係数行列Ｆｉｊもまた入力される。
マトリクス演算手段１０は、下記式（７）に示すマトリクス演算により色変換処理を行い、第２の色データＲ２，Ｇ２，Ｂ２を算出する。
【００４２】
【数７】
2006243454.tif 000009
【００４３】
上記式（７）に示すマトリクス演算によれば、赤、イエロー、緑、シアン、青、マゼンタの６つの色相成分、および無彩色における色再現をそれぞれ独立に調整することができる。
本実施の形態の色変換手段６に対しては、色変換係数Ｆｉｊはｉ＝３、ｊ＝７の係数行列にて表され、図４の係数算出手段２ｂはこの色変換係数Ｆｉｊの値を決定することになる。ただし、無彩色の階調表現能力の低下を避けるため、第１の色データが無彩色を表すデータである場合に演算処理を行わないことを考慮すると、無彩色成分を表すαに対する係数は０となる。この時、色変換係数Ｆｉｊは、下記の式（８）のように表すことができる。
【００４４】
【数８】
2006243454.tif 000010
【００４５】
上記式（８）において、ｆ１１、ｆ２１、ｆ３１は第１の色データにおける赤を表現するための第２の色データＲ２、Ｇ２、Ｂ２の大きさをそれぞれ決定するための係数である。同様に、ｆ１２、ｆ２２、ｆ３２は緑、ｆ１３、ｆ２３、ｆ３３は青、ｆ１４、ｆ２４、ｆ３４はシアン、ｆ１５、ｆ２５、ｆ３５はマゼンタ、ｆ１６、ｆ２６、ｆ３６はイエローを表現するための第２の色データＲ２、Ｇ２、Ｂ２の大きさをそれぞれ決定するための係数である。よって、例えばｆ１１の値を大きくするか、もしくはｆ２１、ｆ２２の値を小さくすることにより、表示される赤の彩度を強めることができる。一般に、当該色における原色成分に関わる係数の値を大きく、または補色成分に関わる係数を小さくすることにより、当該色の彩度を強めることができる。また、係数の変化量が大きいほど、彩度の調整量は大きくなる。
【００４６】
係数算出手段２ｂにおいては、周囲光データＳｒ、Ｓｇ、Ｓｂの値から周囲光の色および明るさを算定し、算定結果に基づいて赤、緑、青、シアン、マゼンタ、イエローの彩度調整量を決定し、色変換係数Ｆｉｊの値を決定する。
例えば、周囲光が赤みの強い光であると判定される場合には、赤と補色関係となるシアンの彩度を最も強くし、次いで緑および青、次にイエローおよびマゼンタ、最後に赤の順の大きさにて彩度を強めることが考えられる。すなわち、赤から色相が離れる色ほど彩度を強める。またこの際、色相についても同時に調整することが考えられる。例えば、周囲光が赤みの強い光であると判定される場合には、知覚されるイエローは赤味の強いイエロー（オレンジ）となることが判定され、これを補正するために表示するイエローは赤みの弱い色とする。この場合、上記の式（８）において、ｆ１６の値を小さくし、またはｆ２６の値を大きくし、またはこれらをともに行う（ｆ１６の値を小さくするともに、ｆ２６の値を大きくする）。
【００４７】
以上のように、本発明に係る画像表示装置によれば、無彩色の階調表現能力の低下や、明るい周囲光下における表示明度の低下を生じることなく、様々な周囲光が存在する環境下での色再現性を改善し、視認性を向上することができる。また、周囲光の色も検出することにより、周囲光の色に応じた色再現性の改善が可能となる。また、本実施の形態における色変換手段を備えることにより、検出された周囲光に応じて赤、イエロー、緑、シアン、青、マゼンタの６つの色相における彩度を個別に調整可能となる。
【図面の簡単な説明】
【００４８】
【図１】本発明に係る画像表示装置の一実施例を示すブロック図である。
【図２】周囲光の明るさと周囲光データＳの値との関係の一例を表す図である。
【図３】周囲光データＳの値と彩度調整係数ｋｃの関係の例を表す図である。
【図４】本発明に係る画像表示装置の一実施例を示すブロック図である。
【図５】色変換手段の内部構成の一例を示すブロック図である。
【図６】６つの色相とマトリクス演算項との関係を模式的に示す図である。
【符号の説明】
【００４９】
１、１ｂ  周囲光検出手段、  ２、２ｂ  係数算出手段、  ３  彩度調整手段、  ４、４    データ変換手段、  ５  画像表示手段、  ６  色変換手段、  ７  αβ算出手段、  ８    有彩色成分データ算出手段、  ９  マトリクス演算項算出手段、  １０  マトリクス演算手段
【図１】
2006243454.tif 000011
【図２】
2006243454.tif 000012
【図３】
2006243454.tif 000013
【図４】
2006243454.tif 000014
【図５】
2006243454.tif 000015
【図６】
2006243454.tif 000016